(57)【特許請求の範囲】
【請求項１】
オートクレーブ滅菌可能な担持装置（１０）であって、前記担持装置（１０）は、外科用器具（１１）の電気的且つ再充電可能なエネルギー貯蔵部（３０）用のオートクレーブ滅菌可能な充電装置（１２、１３、１５〜２０）を備え、
前記充電装置（１２、１３、１５〜２０）は、
所定の距離（Ｄ）を隔てて配置される電磁界を発生する装置（１４）から電磁界を受け取り、前記電磁界を交流電圧に変換する受信装置（１３）と、
前記受信装置（１３）にガルバニック接続され、交流電圧を充電電圧に変換する充電電子装置（１２）と、
前記外科用器具（１１）のエネルギー貯蔵部（３０）にガルバニック接続するための少なくとも１つのガルバニック出力接続手段（１７，１８，１９，２０）と
を有し、
前記受信装置（１３）が第１共振器装置を含み、前記電磁界を発生する装置（１４）が第２共振器装置を含み、前記第１共振器装置と前記第２共振器装置とが共振振動数を介して連結されることを特徴とする、オートクレーブ滅菌可能な担持装置（１０）。
【請求項２】
前記受信装置（１３）は、前記担持装置（１０）上に脱着可能に固定されることを特徴とする請求項１に記載の担持装置（１０）。
【請求項３】
前記外科用器具（１１）をオートクレーブ滅菌する前に、当該外科用器具（１１）が前記充電装置（１２、１３、１５〜２０）にガルバニック接続されることを特徴とする請求項１又は２に記載の担持装置（１０）。
【請求項４】
前記充電電子装置（１２）は、当該充電電子装置（１２）にガルバニック接続される、前記外科用器具（１１）の中に設けられた再充電可能なエネルギー貯蔵部（３０）を充電することを特徴とする請求項１〜３のいずれか１項に記載の担持装置（１０）。
【請求項５】
前記エネルギー貯蔵部は、アキュムレータである請求項１〜４のいずれか１項に記載の担持装置（１０）。
【請求項６】
前記担持装置（１０）が、少なくとも複数のセクションにおいて互換性がある形を有する受信領域を有し、又は前記外科用器具（１１）の少なくとも１つのセクションに形が適合していることを特徴とする請求項１〜５の何れか１項に記載の担持装置（１０）。
【請求項７】
オートクレーブ滅菌された外科用器具（１１）中の再充電可能なエネルギー貯蔵部（３０）あるいはオートクレーブ滅菌された外科用器具（１１）用の再充電可能なエネルギー貯蔵部（３０）を、エネルギー貯蔵部（３０）用のオートクレーブ滅菌可能な充電装置（１２、１３、１５〜２０）を有するオートクレーブ滅菌可能な担持装置（１０）を用いて、充電する方法であって、前記オートクレーブ滅菌可能な充電装置（１２、１３、１５〜２０）は、
所定の距離（Ｄ）を隔てて配置される電磁界を発生する装置（１４）から電磁界を受け取り、前記電磁界を交流電圧に変換する受信装置（１３）と、
前記受信装置（１３）にガルバニック接続され、交流電圧を充電電圧に変換する充電電子装置（１２）と、
充電前の前記外科用器具（１１）のエネルギー貯蔵部（３０）にガルバニック接続するための少なくとも１つのガルバニック出力接続手段（１７，１８，１９，２０）と
を含み、前記受信装置（１３）が第１共振器装置を含み、前記電磁界を発生する装置（１４）が第２共振器装置を含み、前記第１共振器装置と前記第２共振器装置とが共振振動数を介して連結される、前記方法において、
外科用器具（１１）及びエネルギー貯蔵部（３０）の少なくとも一つをオートクレーブ滅菌し、
外科用器具（１１）、充電装置（１２、１３、１５−２０）及びエネルギー貯蔵部（３０）の少なくとも一つが、電磁界を発生する装置（１４）の有効範囲へ移動させられ、
電磁界を発生する装置（１４）と充電装置（１２、１３、１５−２０）の前記受信装置（１３）の間で共振結合が引き起こされ、前記共振結合は前記電磁界を発生する装置（１４）から受信装置（１３）にエネルギーを伝達することを導き、
前記エネルギーの少なくとも一部はエネルギー貯蔵部（３０）用に充電電圧を発生するために使用される、方法。
【請求項８】
前記受信装置（１３）は、前記担持装置（１０）上に脱着可能に固定されることを特徴とする請求項７に記載の方法。
【請求項９】
前記充電電子装置（１２）は、当該充電電子装置（１２）にガルバニック接続される、前記外科用器具（１１）の中に設けられた再充電可能なエネルギー貯蔵部（３０）を充電するようにされた請求項７に記載の方法。
【請求項１０】
充電前に外科用器具（１１）は担持装置（１０）上に配設され、
エネルギー貯蔵部（３０）を有する前記外科用器具は充電装置（１２、１３、１５−２０）の少なくとも１つのガルバニック出力接続手段（１７−２０）にガルバニック接続され、
その後、外科用器具（１１）と共に担持装置（１０）はオートクレーブ滅菌され、
外科用器具（１１）と共に担持装置（１０）は次に前記電磁界を伝達する装置（１４）の有効範囲へ移動させられる、請求項７に記載の方法。
【発明の詳細な説明】
【発明の詳細な説明】
【０００１】
本発明は外科用器具における再充電可能なエネルギー貯蔵部のための、オートクレーブ滅菌可能な充電装置に関するものである。さらにこの発明は、オートクレーブ滅菌される外科用器具の中に配設された、あるいはオートクレーブ滅菌される外科用器具用の、再充電可能なエネルギー貯蔵部を充電する方法に関する。
【０００２】
例えば、内視鏡または腹腔鏡等の外科用器具は、頻繁に複数回使用される。これらの器具は、オートクレーブの中でオートクレーブ滅菌され、複数回の使用が保証され、無菌の外科用器具として提供される。オートクレーブは圧力容器であり、気密に密閉することができ、過度の圧力の範囲で外科用器具を熱処理するのに使用される。オートクレーブ滅菌において、スチームの流入と、次に、例えば３バールの過度の圧力で例えば１３０度以上の高温蒸気の流入とを交互に行いながら、真空引きを繰り返すことにより、オートクレーブ中の空気を取り除くことができる。あるいは、オートクレーブ中の空気を飽和蒸気と置き換えることもできる。オートクレーブ滅菌するために更なる処理が、オートクレーブ内で実施されて外科用器具は滅菌される。
【０００３】
適切なオートクレーブ、及びこのオートクレーブを操作する方法が文献ＥＰ１４８１６９２  Ｂ１に記載されており、この文献では、オートクレーブが特に滅菌器と呼ばれる。オートクレーブ滅菌方法は、例えば、文献ＥＰ１４８２６９２  Ｂ２に（図１ａ〜３を参照しつつ）記載されている。
【０００４】
適用可能な外科用器具は頻繁に、電気アクチュエータあるいは照明手段と電子装置を有し、それらにエネルギー源が設けられる。
そのエネルギー源は一般に外科用器具の外側にあり、外科用器具に接続されるためにケーブルが必要である。この代わりとして、エネルギー源は外科用器具の中に設けられる。エネルギー源、あるいは、例えばバッテリー等の再充電可能なエネルギー源は、外科用器具の外側あるいは内側に交換可能に取り付けられる。
【０００５】
これには、以下の問題がある。即ち、充電されたバッテリーがオートクレーブ滅菌の最中に実質的に放電し、その結果、手術中に完全に空になってしまう恐れがあるということである。その場合、手術はもはや継続することができない。このような事態は回避されなければならない。あるいは、オートクレーブ滅菌後に外科用器具のエネルギー貯蔵部を充電することが考えられる。
【０００６】
しかしながら、充電を目的とすると、外科用器具の無菌状態は、もはや維持されなくなり、これは望ましいことではない。
オートクレーブ滅菌において、外科用器具は一般的には担持装置中に置かれ、この外科用器具を備えた担持装置は布で包まれる。布が開かれると、もはや無菌状態は維持されない。
【０００７】
本発明は、オートクレーブ滅菌される外科用器具中に備えられた再充電可能なエネルギー貯蔵部を、あるいは外科用器具のためにオートクレーブ滅菌された再充電可能なエネルギー貯蔵部を、外科用器具あるいはエネルギー貯蔵部の無菌状態を保ちながら充電可能にすることを目的とする。
【０００８】
この目的は、外科用器具の電気的再充電可能なエネルギー貯蔵部のためのオートクレーブ滅菌可能な充電装置により解決される。前記充電装置は、電磁界を受け取り、前記電磁界を交流電圧に変換する受信装置と、前記受信装置にガルバニック接続された充電電子装置を備え、前記充電電子装置は交流電圧を充電電圧に変換し、前記充電装置は前記外科用器具のエネルギー貯蔵部にガルバニック接続するための少なくとも１つのガルバニック出力接続手段を有する。
【０００９】
本発明によるそのようなオートクレーブ滅菌可能な充電装置を提供することにより、オートクレーブ滅菌される電気的再充電可能なエネルギー貯蔵部を、無菌状態を維持しながら充電することができる。
【００１０】
従って、エネルギーが少なくなった場合に、その外科用器具の中あるいは外に脱着可能に取り付けられた電気的再充電可能なエネルギー貯蔵部を手術中に交換することが可能である。その結果、手術は無菌状態を維持しながら行うことができる。
【００１１】
前記受信装置は好ましくは第１共振器装置を備える。
更に好ましくは、前記充電電子装置は、特に充電電子装置にガルバニック接続される外科用器具の中に設けられた再充電可能なエネルギー貯蔵部を充電する。
【００１２】
本発明によれば、上記の本発明による統合オートクレーブ滅菌可能な充電装置を備えたオートクレーブ滅菌可能な担持装置は、外科用器具の中に配設された電気的再充電可能なエネルギー貯蔵部、特にアキュムレータのために設けられる。
【００１３】
この目的は、外科用器具用のオートクレーブ滅菌可能な充電装置により解決できる。前記担持装置は前記外科用器具の中に配設された電気的再充電可能なエネルギー貯蔵部用、特にアキュムレータ用の充電装置を備え、前記充電装置は、電磁界を受け取り、前記電磁界を交流電圧に変換する受信装置と、前記受信装置にガルバニック接続された充電電子装置を備え、前記充電電子装置は交流電圧を充電電圧に変換し、前記充電装置は前記外科用器具のエネルギー貯蔵部にガルバニック接続するための少なくとも1つのガルバニック出力接続を有する。
【００１４】
このように構成されたオートクレーブ滅菌可能な担持装置は外科用器具がオートクレーブ滅菌された後でも、無菌状態に影響を及ぼすことなく、外科用器具中に配設されたエネルギー貯蔵部を再充電するのに非常に効率がよい。
【００１５】
この過程において、再充電可能なエネルギー貯蔵部を充電するために必要なエネルギーがケーブルなしで伝達されるので、オートクレーブ滅菌可能な担持装置及び外科用器具が包まれたタオルを取り除く必要はない。従って、オートクレーブ滅菌可能な担持装置には、外科用器具を接続することが可能なガルバニックコンセントコネクション以外に、エネルギーを受け取り、電子装置を充電するのに必要な受信装置も備えられている。
【００１６】
オートクレーブ滅菌可能な担持装置の上に外科用器具を置く際、外科用器具は、充電電子装置の１つ又は複数のガルバニック出力接続手段に接続される。次に、滅菌クロスで担持装置と外科用器具が包まれる。その後、オートクレーブ滅菌が行われる。
【００１７】
オートクレーブ滅菌後、担持装置、特に受信装置は、具体的には、担持装置に対してセット可能な距離をおいて配設された伝達装置の近くに置かれるか、電磁界を発生する装置の近くに置かれる。そして伝達装置から伝達される対応するエネルギーは、受信装置により吸収され、充電電子装置を使用して充電電圧に変換される。この充電電圧はガルバニコンセントコネクションを介して外科用器具に伝えられる。本発明の範囲内では、用語、伝達装置は、電磁界を発生する装置の代わりにも使用される。ここの文脈では、これらは両方とも同じ装置である。
【００１８】
好ましくは、プラグ接続はガルバニック接続用に設けられる。
プラグ接続は１つだけでもよく、また、他の電気接点あるいはガルバニック接点は担持装置及び外科用器具ハウジングの接地経由で生じる。この目的のために、外科用器具のハウジングの少なくとも一部は導電材料から構成されていなければならない。更に、オートクレーブ滅菌可能な担持装置の少なくとも一部も導電材料から構成されていなければならない。
【００１９】
好ましくは、受信装置は第１共振器装置を備える。この共振器装置は好ましくは調整可能である。すなわち、共振振動数は調整することができる。
好ましくは、コイルが共振器装置の中に設けられている。このコイルには強磁性体が設けられていても、いなくてもよい。好ましくは、充電電子装置は、前記電子装置にガルバニック接続される外科用器具中に配設された再充電可能なエネルギー貯蔵部を充電する。アキュムレータを充電するためには、充電電子装置は一般的な充電電子装置でよく、例えば、どこでも入手できるものでよい。しかし、それらは、受信装置により提供される交流電圧の値に適合していなければならない。典型的な充電装置は、例えばＤＥ ３３ １７ ５３１Ａ１に記載されている。
【００２０】
担持装置が少なくとも複数のセクションにおいて互換性がある形を有する受信領域を有し、且つ又は外科用器具の少なくとも１つのセクションに形が適合していることが望ましい。そして、受信エリアは、外科用器具の少なくとも１つのセクションに適合した輪郭を複数のセクションに有する。その結果、確実なガルバニック接続が１つ又は複数の出力接続と外科用器具の間で可能である。担持装置に弾力的に取り付けられるクランプ（外科用器具はその中に留めることができる）も、この目的（確実なガルバニック接続）のために使用してもよい。
【００２１】
好ましくは、本発明によるオートクレーブ滅菌可能な充電装置及び／又は本発明によるオートクレーブ滅菌可能な担持装置には、電磁界を伝達又は発生する装置が設けられている。この装置はパス（経路）を介して受信装置に連結されている。本発明の範囲において、配置は特に組み合わせの意味でも解釈される。
【００２２】
電磁界を発生する装置は、好ましくは、第２共振器装置を有する。第２共振器装置は好ましくは調整可能で、好ましくはコイルを有する。このコイルには強磁性体が設けられていてもよい。
【００２３】
第２共振器装置は第１共振器装置と共振する配置にあることが望ましい。この方法により、エネルギーを特に効率的に非接触で伝達することができる。これは２つの共振器装置の共振連結であることが望ましく、変換する磁石の配設であると好ましくは解釈される。既に述べたように、共振器装置間の確定された距離又は所定のパス（経路）には接触がなく、つまり、ガルバニックコンタクトがなく、空気、滅菌クロス及び担持装置の更なる要素を介して延びている。
【００２４】
コードレスのエネルギー伝達は誘導エネルギー伝達でもよい。
しかしながら、第１及び第２共振器装置の共振連結が好ましく、高度の効率で非常に効率的なエネルギーを伝達可能となる。これに関連して、ＷＯ２００７／００８６４６  Ａ２およびＷＯ２００８／１１８１７８Ａ１の文献を参照すると、これらには上記方式のワイヤレス非放射エネルギー伝達について記載されている。ここでは第１及び第２共振器装置の共振フィールドの連結を介してエネルギー伝達が生じる。このエネルギー伝達は数センチメートルあるいは数メートルにまでも機能する。本発明の範囲では、第１及び第２の共振器装置間は５ｃｍから２０ｃｍであることが好ましい。
【００２５】
本発明の範囲内では、電磁界を発生し受け取ることは、第２共振器装置の結合、特にこれら２つの共振器装置の共振結合をも意味する。用語として、電磁界はさらに電磁放射の意味も含む。これにより、電界を発生する装置は電気的放射を伝達する装置でもある。また、これに対応して、受信装置は電磁界を受け取り変換、あるいは電磁放射を受け取り変換することができる。
【００２６】
少なくともエネルギーの非接触伝達に関する技術である限り、ＷＯ２００７／００９６４６Ａ２及びＷＯ２００８／１１８１７８Ａ１で開示された全ての内容はこの特許出願の中に組み込まれるべきである。
【００２７】
上記目的は、オートクレーブ滅菌された外科用器具中の再充電可能なエネルギー貯蔵部を充電する方法により、さらに解決される。この方法では、充電前に、前記外科用器具が本発明による担持装置上に置かれ、前記充電装置の少なくとも1つのガルバニック出力接続にガルバニック接続され、前記外科用器具を備えた前記担持装置がその後、オートクレーブ滅菌され、次に、前記外科用器具を備えた担持装置が電磁界を伝達又は発生する装置の有効範囲へ移動させられ、電磁界を発生する装置と充電装置の受信装置の間で共振結合が引き起こされ、前記共振結合は前記電磁界を発生する前記装置から前記受信装置にエネルギーを伝達することを導き、前記エネルギーは前記エネルギー貯蔵部用に充電電圧を少なくともある程度まで発生するために使用される。
【００２８】
本発明の範囲において、用語として、電磁界を発生する装置は、電磁界を伝達する装置も含む。
オートクレーブ滅菌するために、外科用器具と担持装置は、殺菌することができる布で包まれる。再充電可能なエネルギー貯蔵部を充電する本発明による方法は、外科用器具のオートクレーブ滅菌後も担持装置と外科用器具が布で包まれている状態で好ましくは実施される。
【００２９】
上記目的は、オートクレーブ滅菌された外科用器具中の再充電可能なエネルギー貯蔵部、あるいはオートクレーブ滅菌された外科用器具のための再充電可能なエネルギー貯蔵部を充電する方法によりさらに解決される。この方法においては、充電前に前記エネルギー貯蔵部がクレーム１から３のうちの1つに記載された充電装置の少なくとも1つのガルバニック出力接続にガルバニック接続され、その後、特に前記充電装置とともに、前記外科用装置及び／又はエネルギー貯蔵部がオートクレーブ滅菌され、その後、特に充電装置とともに、前記外科用装置及び／又は前記エネルギー貯蔵部が、電磁界を伝達する装置の有効範囲へ移動させられ、共振結合が電磁界を発生する前記装置と前記充電装置の受信装置の間で引き起こされ、前記共振結合は前記電磁界を発生する前記装置から前記受信装置にエネルギーを伝達することを導き、前記エネルギーは前記エネルギー貯蔵部用に充電電圧を少なくともある程度まで発生するために使用される。
【００３０】
前記充電前に、前記外科用器具は本発明による担持装置上に好ましくは置かれ、前記エネルギー貯蔵部を有する前記外科用器具が、充電装置の少なくとも１つのガルバニック出力接続手段にガルバニック接続され、前記担持装置がその後、前記外科用器具でオートクレーブ滅菌され、前記外科用器具を備えた前記担持装置が前記電磁界を伝達する前記装置の有効範囲へその後、移動させられる。
【００３１】
本発明の一般的な思想を制限することなく、図面を参照しつつ例示的実施例を用いて、本発明を以下に記載する。それにより、明細書中では説明しきれない本発明に関する全ての詳細な開示が図面を参照することにより明らかになる。
【００３２】
図１は本発明によるオートクレーブ滅菌可能な担持装置の概略上面図である。
図２は本発明による配置の一部を示す概略代表図である。
以下の図において、同一又は類似する要素あるいは対応する部品には同一の参照番号を付し重複した説明は省略する。
【００３３】
図１は本発明による担持装置１０の概略上面図であり、担持装置１０の４辺にそれぞれ平行に設けられた２本の線で概略的に示された壁と境界を成している。第１共振装置１３は担持装置１０に配設され、詳細には担持装置１０上に脱着可能に固定される。第１共振装置１３は、充電電子装置１２に対する２つのガルバニック又は電気接続部１５及び１６を備え、これら接続部はアキュムレータ３０を特に充電可能に設計されている。２つの電気接続部１７及び１８は、充電電子装置１２から、外科用器具１１中のアキュムレータ３０を有するガルバニック接続に夫々プラグ・コンタクト１９及び２０を介して延びている。更に、アキュムレータ３０は、フォトチップあるいはカメラに電圧を供給し、あるいは光源に電圧を供給するために使用することができる。
【００３４】
図１は更に、担持装置１０を隔てて配設された第２共振装置１４を示す。
第２共振装置14から第1共振装置１３まで効率的なエネルギー伝達を生じさせるように、第２共振装置１４は、第1共振器装置１３と共振する電磁界を発生する。その結果、交流充電電圧は電気接続部１５及び１６を介して、充電電子装置１２に対して利用可能になる。この交流充電電圧はその後、電気接続部１７及び１８を介して、プラグコンタクト１９及び２０において利用可能な充電電圧に変換される。第1共振装置１３の構成要素、電気接続部１５、１６の構成要素、充電電子装置１２の構成要素、電気接続部１７及び１８の構成要素、またプラグ１９及び２０の構成要素は、好ましくは、担持装置１０に堅固に接続され、または脱着できるように接続可能である。これに対応して、コードレス方式であっても、外科用器具１１は担持装置から取り外して、その後使用することができる。
【００３５】
図２はこの発明による概略的な配置の一部を示す。第２共振装置１４はコイル２１及び強磁性体２３を備える。エネルギーを受け取る装置としての第1共振器装置１３は、第２共振器装置１４に対して距離Dを隔てて配設される。
【００３６】
第1共振器装置１３は担持装置（不図示）上に配設される。
第1共振器装置１３もコイル２２及び強磁性体２４を備える。ここでは、強磁性体２４は必ずしも不可欠なものではない。キャパシタ２５を第1共振器装置１３に備えつけてもよい。
【００３７】
これに対応して、第２共振器装置１４にキャパシタを備えていてもよい（不図示）。共振器装置の中で使用されるワイヤーは既にキャパシタンスを有するので、さらなるキャパシタは必ずしも必要ではない。しかしながら、キャパシタの追加により、それぞれの共振器装置の同調性が簡素化される。コイル２１及び２２は、好ましくは、それらのインダクタンスにより調整して、変更してもよい。
【００３８】
図２では、第1共振器装置１３に電気的に接続される充電電子装置１２は非常に簡略化された形でのみ示されている。すなわち、利用可能な交流電圧からの直流電圧の一種を発生する4つのダイオード２６〜２９から充電電子装置１２は構成されている。
【００３９】
従って、本発明は、共振振動数を介して連結される、例えば、２つの電気コイルによる、コードレスでのエネルギー伝達に関するものである。その結果、従来のエネルギーの誘導（インダクション）伝達と比較して、効率が著しく高まる。これにより、多くのエネルギーを送ることができ、その結果アキュムレータを短時間で高いキャパシティに充電できる。これにより、エネルギー供給を必要とするコードレス内視鏡あるいは他の外科用器具を使用することが可能である。本発明により、そのような外科用器具を無菌状態に維持しながら充電することが可能になる。同様に、アキュムレータで駆動される光源も充電することができる。充電電子装置を外科用器具とは別々に設けることは小型かつ軽量な外科用器具を構成するのに特に有利である。
【００４０】
従って、本発明による解決はエネルギー伝達に使用される装置と、オートクレーブ可能な担持装置に充電電圧を提供する装置とを統合することにあり、これは滅菌トレイとも呼ばれる。大規模コイルと、さらなる充電電子装置を収容する対応するスペースとを一体化するために十分な構成スペースが設けられている。
【００４１】
伝達されたエネルギーは充電電流又は充電電圧に変換され、担持装置上に置かれた外科用器具を充電することができる。担持装置上に置かれた外科用器具はその後、担持装置中の充電装置にガルバニック接続を介して充電される。
【００４２】
このように、滅菌パッケージから外科用器具を取り除く必要をなくすことができる。従って、外科用器具は無菌状態を維持する。
適用されるケースに応じて、フェライト磁心と共に、あるいはフェライト磁心無しでコイルは使用してもよい。共振回路は好ましくはメガヘルツ範囲で振動する。従って、典型的な振動数は、例えば、５ＭＨｚと４００ＭＨｚの間で提供されてもよい。使用される振動数は、手術室と互換性をもつ周波数範囲にあることが望ましい。
【００４３】
あるいは、図中では示されないが、まずオートクレーブ滅菌し、その後、オートクレーブ滅菌可能な充電装置中のアキュムレータ等の交換可能で再充電可能なエネルギー貯蔵庫を適切に充電し、これらを手術中に交換用のアキュムレータとして使用することが可能である。そして、適切に滅菌された又はオートクレーブ滅菌されたこのアキュムレータを、オートクレーブ滅菌された外科用器具に接続することを滅菌したオペレータ（人又は装置）に、手術開始前行わせることが可能である。これはその後、このように滅菌された又はオートクレーブ滅菌されたアキュムレータを通じてこの外科用器具にエネルギーを提供するためである。
【００４４】
全ての明確に記載された特徴、及び個々の特徴(それらは他の特徴と組み合わせて開示される)は、図面から単独で取り上げた特徴を含み、個別且つ組み合わせにおいて本発明に不可欠なものとして考慮される。本発明による実施例は個々の特徴あるいは複数の特徴の組み合わせにより実施することができる。
【符号の説明】
【００４５】
１０  担持装置
１１  外科用器具
１２  充電電子装置
１３  第１共振装置
１４  第２共振装置
１５  電気接続部
１７  電気接続部
１８  電気接続部
１９  プラグコンタクト
２０  プラグコンタクト
２１  コイル
２２  コイル
２３  強磁性体
２４  強磁性体
２５  キャパシタ
２６  ダイオード
２７  ダイオード
２８  ダイオード
２９  ダイオード
３０  アキュムレータ
Ｄ    距離
【図１】
0005678027.tif 000002
【図２】
0005678027.tif 000003